(57)【要約】【課題】映像音響機器が本来有する操作キーに他の映像音響機器の制御信号を自由に対応付けて操作することが可能な映像音響機器を提供する。【解決手段】映像音響機器１は、外部の他の映像音響機器１０１と通信を実行して他の映像音響機器１０１が有するリモコン１０６の操作キー１０６ａに対応付けられた制御信号を受信する受信部４ｂと、自機が有するリモコン６の任意の操作キー６ａに他の映像音響機器１０１の制御信号を対応付けるキー設定部９と、制御信号を対応付けた自機の操作キー６ａの操作により自機を介して制御信号を他の映像音響機器１０１に送信する送信部４ａと、を備える。【選択図】図１
2015231066.tif 000002
【特許請求の範囲】
【請求項１】
外部の他の映像音響機器と通信を実行して前記他の映像音響機器が有する操作部の操作キーに対応付けられた制御信号を受信する受信部と、
自機が有する操作部の任意の操作キーに前記他の映像音響機器の前記制御信号を対応付ける設定部と、
前記制御信号を対応付けた自機の前記操作キーの操作により自機を介して前記制御信号を前記他の映像音響機器に送信する送信部と、
を備える映像音響機器。
【請求項２】
前記設定部が前記他の映像音響機器の前記制御信号を対応付けた前記操作キーには自機本来の制御信号が予め対応付けられている請求項１に記載の映像音響機器。
【請求項３】
前記設定部が前記他の映像音響機器から前記他の映像音響機器の機種に係る識別情報を取得し、前記識別情報に関連付けて自機が有する前記操作部の前記操作キーに前記他の映像音響機器の前記制御信号の送信先を対応付ける請求項１または請求項２に記載の映像音響機器。
【請求項４】
前記他の映像音響機器と接続するための複数の外部接続部を備え、前記設定部が前記外部接続部各々に関連付けて自機が有する前記操作部の前記操作キーに前記他の映像音響機器の前記制御信号の送信先を対応付ける請求項１〜請求項３のいずれかに記載の映像音響機器。
【請求項５】
前記他の映像音響機器の前記制御信号を対応付けた自機の前記操作キーの一覧を示す表示信号を生成する請求項１〜請求項４のいずれかに記載の映像音響機器。
【発明の詳細な説明】
【技術分野】
【０００１】
本発明は映像音響機器に関する。
【背景技術】
【０００２】
映像音響機器は複数の機器、例えばテレビジョン受信機やチューナ、レコーダ、アンプなどが相互に通信可能な状態で設置されて使用されることがある。従来、このような映像音響機器の構成の場合、複数の映像音響機器各々の操作は複数の映像音響機器各々が個別に有するリモコン（遠隔操作装置）で行う必要があった。
【０００３】
しかしながら、複数のリモコンを持ち替えて操作することは手間が掛かり、不便であるという問題があった。そして、この問題を解決することが可能な従来技術が例えば特許文献１に開示されている。
【０００４】
特許文献１に記載された従来の映像音響機器に係る技術は１台のリモコンで複数の映像音響機器各々を操作可能にしている。そして、複数の映像音響機器各々の制御信号を１台のリモコンに学習させる操作が容易になる遠隔制御情報の転送方法を提供している。
【先行技術文献】
【特許文献】
【０００５】
【特許文献１】特開２００１−１３６５８６号公報
【発明の概要】
【発明が解決しようとする課題】
【０００６】
しかしながら、上記従来の映像音響機器に係る技術は複数の映像音響機器のうちのひとつの映像音響機器が本来有するリモコンの操作キーに他の映像音響機器の制御信号を対応付けて操作できるようにしているわけでない。すなわち、例えばテレビジョン受信機が本来有するリモコンの操作キーにレコーダの制御信号を対応付けて操作できるようにしているわけではない。したがって、所謂学習リモコンと呼ばれる装置を別途用意する必要がある虞がある。さらに、ユーザが任意に選択した操作キーに他の映像音響機器の制御信号を対応付けているわけではないので、操作性の向上が期待できない可能性がある。
【０００７】
本発明は、上記の点に鑑みなされたものであり、映像音響機器が本来有する操作キーに他の映像音響機器の制御信号を自由に対応付けて操作することができ、複数の映像音響機器からなる映像音響系統全体の操作性を向上させることが可能な映像音響機器を提供することを目的とする。
【課題を解決するための手段】
【０００８】
上記の課題を解決するため、本発明の映像音響機器は、外部の他の映像音響機器と通信を実行して前記他の映像音響機器が有する操作部の操作キーに対応付けられた制御信号を受信する受信部と、自機が有する操作部の任意の操作キーに前記他の映像音響機器の前記制御信号を対応付ける設定部と、前記制御信号を対応付けた自機の前記操作キーの操作により自機を介して前記制御信号を前記他の映像音響機器に送信する送信部と、を備える。
【０００９】
この構成によれば、他の映像音響機器の機能が自機の操作部の操作キーにユーザの都合に合うよう自由に設定される。したがって、相互に通信可能に設置された複数の映像音響機器からなる映像音響系統全体の操作性が向上する。
【００１０】
また、上記構成の映像音響機器において、前記設定部が前記他の映像音響機器の前記制御信号を対応付けた前記操作キーには自機本来の制御信号が予め対応付けられている。
【００１１】
この構成によれば、自機の操作部で他の映像音響機器を操作するにあたって、その操作部の操作キーの増加が抑制される。したがって、状況によって使用しない操作キーが有効に活用される。
【００１２】
また、上記構成の映像音響機器において、前記設定部が前記他の映像音響機器から前記他の映像音響機器の機種に係る識別情報を取得し、前記識別情報に関連付けて自機が有する前記操作部の前記操作キーに前記他の映像音響機器の前記制御信号の送信先を対応付ける。
【００１３】
この構成によれば、異なる機種である複数の他の映像音響機器が接続される場合に、機種ごとに対応付けられた制御信号が他の映像音響機器各々に対して適正に送信される。したがって、制御信号の誤送信が抑制され、複数の他の映像音響機器各々の制御が効率良く実行される。
【００１４】
また、上記構成の映像音響機器において、前記他の映像音響機器と接続するための複数の外部接続部を備え、前記設定部が前記外部接続部各々に関連付けて自機が有する前記操作部の前記操作キーに前記他の映像音響機器の前記制御信号の送信先を対応付ける。
【００１５】
この構成によれば、複数の外部接続部各々に他の映像音響機器が個別に接続されてそれらに同じ機種が存在する場合であっても、複数の外部接続部ごとに区別されて制御信号が送信される。したがって、制御信号の誤送信が抑制され、複数の他の映像音響機器各々の制御が効率良く実行される。
【００１６】
また、上記構成の映像音響機器において、前記他の映像音響機器の前記制御信号を対応付けた自機の前記操作キーの一覧を示す表示信号を生成する。
【００１７】
この構成によれば、自機の操作キーに対応付けた他の映像音響機器の制御信号にどういったものがあるか把握が容易になる。したがって、複数の映像音響機器からなる映像音響系統全体の操作性がより一層向上する。
【発明の効果】
【００１８】
本発明の構成によれば、映像音響機器が本来有する操作キーに他の映像音響機器の制御信号を自由に対応付けて操作することができ、複数の映像音響機器からなる映像音響系統全体の操作性を向上させることが可能な映像音響機器を提供することができる。
【図面の簡単な説明】
【００１９】
【図１】本発明の第１実施形態に係る映像音響機器の構成図である。
【図２】本発明の第１実施形態に係る映像音響機器のリモコン学習モードの設定処理を示すフローチャートである。
【図３】本発明の第１実施形態に係る映像音響機器のリモコン学習モードの表示例を示す説明図である。
【図４】本発明の第１実施形態に係る映像音響機器のリモコン学習モードの表示例を示す説明図である。
【図５】本発明の第１実施形態に係る映像音響機器のリモコン学習モードの表示例を示す説明図である。
【図６】本発明の第１実施形態に係る映像音響機器のリモコン学習モードで対応付けた操作キーの一覧の例を示す説明図である。
【図７】本発明の第１実施形態に係るリモコン学習モードで対応付けた他の映像音響機器（Ｒｅｃ１）のＣＥＣコマンドの一覧の例を示す説明図である。
【図８】本発明の第１実施形態に係る映像音響機器のリモコン操作に基づく映像音響機器自機の動作を示すフローチャートである。
【図９】本発明の第１実施形態に係る映像音響機器のリモコン操作に基づく他の映像音響機器の動作を示すフローチャートである。
【図１０】本発明の第２実施形態に係る映像音響機器の構成図である。
【図１１】本発明の第２実施形態に係る映像音響機器のリモコン学習モードで対応付けた操作キーの一覧の例を示す説明図である。
【図１２】本発明の第２実施形態に係るリモコン学習モードで対応付けた他の映像音響機器（Ｒｅｃ１、ＨＤＭＩ（登録商標）−１）のＣＥＣコマンドの一覧の例を示す説明図である。
【図１３】本発明の第２実施形態に係るリモコン学習モードで対応付けた他の映像音響機器（Ｒｅｃ２、ＨＤＭＩ−２）のＣＥＣコマンドの一覧の例を示す説明図である。
【図１４】本発明の第３実施形態に係る映像音響機器の構成図である。
【図１５】本発明の第３実施形態に係る映像音響機器のリモコン学習モードで対応付けた操作キーの一覧の例を示す説明図である。
【図１６】本発明の第３実施形態に係るリモコン学習モードで対応付けた他の映像音響機器（Ｒｅｃ１、ＨＤＭＩ−１）のＣＥＣコマンドの一覧の例を示す説明図である。
【図１７】本発明の第３実施形態に係るリモコン学習モードで対応付けた他の映像音響機器（Ｒｅｃ１、ＨＤＭＩ−２）のＣＥＣコマンドの一覧の例を示す説明図である。
【図１８】本発明の第３実施形態に係るリモコン学習モードで対応付けた他の映像音響機器（Ｒｅｃ２、ＨＤＭＩ−３）のＣＥＣコマンドの一覧の例を示す説明図である。
【図１９】本発明の第４実施形態に係る映像音響機器のリモコン学習モードで対応付けた操作キーの一覧の例を示す説明図である。
【図２０】本発明の第４実施形態に係るリモコン学習モードで対応付けられたＣＥＣコマンドのコピーモードにおけるコピー元である他の映像音響機器の動作を示すフローチャートである。
【図２１】本発明の第４実施形態に係るリモコン学習モードで対応付けられたＣＥＣコマンドのコピーモードにおけるコピー先である他の映像音響機器の動作を示すフローチャートである。
【発明を実施するための形態】
【００２０】
以下、本発明の実施形態を図１〜図２１に基づき説明する。
【００２１】
＜第１実施形態＞
最初に、本発明の第１実施形態の映像音響機器について、図１を用いてその構成を説明する。図１は映像音響機器及びそのネットワーク環境を示す構成図である。
【００２２】
映像音響機器１は例えばテレビジョン受信機であって、図１に示すように受信部であるチューナ部２、表示部３、通信部４、外部接続部５、リモコン６、制御部７及び記憶部８を備える。映像音響機器１はユーザの放送視聴を実現するために、不図示のテレビジョン放送局から提供される放送信号から放送番組を再生する。
【００２３】
チューナ部２は例えばテレビジョン放送局から提供される放送信号の受信に利用される。チューナ部２は不図示のアンテナから受信した放送信号の選局及び復調を行う。
【００２４】
表示部３はチューナ部２から受け取った放送番組或いは外部機器等から受け取った録画番組に係る放送信号のうち映像として再生された信号を表示する。また、表示部３はメニュー画面、電子番組ガイド等の画面データを表示する。音声信号は不図示のスピーカが再生する。
【００２５】
通信部４は送信部４ａ及び受信部４ｂを含み、外部接続部５に電気的に接続される。外部接続部５は例えばＨＤＭＩ（High-Definition  Multimedia  Interface）規格に対応したコネクタである。映像音響機器１は外部接続部５として例えば単一のＨＤＭＩコネクタ（図１の「ＨＤＭＩ−１」）を備える。映像音響機器１（図１の「ＴＶ１」）は通信部４及び外部接続部５を介して他の映像音響機器１０１（図１の「Ｒｅｃ１」）が通信可能に電気的に接続され、相互にデータの送信及び受信が可能である。なおここで、「ＴＶ１」、「Ｒｅｃ１」は映像音響機器１、１０１各々の機種に係る識別情報を表す。
【００２６】
他の映像音響機器１０１（Ｒｅｃ１）は例えばレコーダであって、ＨＤＤ（Hard disk drive）や光ディスク装置などを備える。他の映像音響機器１０１（Ｒｅｃ１）は自身が有する不図示のチューナ部或いは映像音響機器１を介して放送信号として取得した放送番組を録画することができる。
【００２７】
リモコン６は映像音響機器１の操作部であって、複数の各種操作キー６ａを備える。操作キー６ａとしては、例えば「赤キー」、「黄キー」、「青キー」、「緑キー」、数字が記載された「テンキー」などを備える。リモコン６は、例えばユーザによる放送番組の視聴や電子番組ガイドの確認などに係る操作を受け付ける。なお、映像音響機器１はその筐体表面にも不図示の操作部を有し、リモコン６に代えて操作することが可能である。また、外部の他の映像音響機器１０１も同様に、操作キー１０６ａが設けられたリモコン１０６を備える。
【００２８】
制御部７は不図示の演算部やその他の電子部品で構成され、記憶部８等に予め記憶、入力されたプログラム、データに基づき、映像音響機器１の各構成要素から情報を得るとともにそれら構成要素の動作を制御して一連の放送信号の受信処理、再生処理及び出力処理を実現する。制御部７はキー設定部９を備える。なおここでは、制御部７がキー設定部９を備える構成としているが、制御部７とは別にしてキー設定部９を備える構成であっても良い。
【００２９】
キー設定部９は映像音響機器１のリモコン６の任意の操作キー６ａに他の映像音響機器１０１のリモコンコードを含む制御信号を対応付ける処理を行う。この制御信号として、ここでは例えばＣＥＣ（Consumer  Electronics  Control）コマンドを採用しているが、ＣＥＣコマンドに限定されるわけではなく、他の規格の制御信号であっても良い。映像音響機器１は他の映像音響機器１０１の機能を映像音響機器１のリモコン６の任意の操作キー６ａにユーザの都合に合うよう自由に設定することができるリモコン学習モードを備える。
【００３０】
リモコン学習モードにおいて、制御部７は受信部４ｂを介して外部の他の映像音響機器１０１と通信を実行して他の映像音響機器１０１が有する操作部１０６の操作キー１０６ａに対応付けられたリモコンコードを含む制御信号（ＣＥＣコマンド）を受信する。キー設定部９は映像音響機器１のリモコン６の、ユーザが選択した任意の操作キー６ａに他の映像音響機器１０１の制御信号（ＣＥＣコマンド）を対応付ける。そして、ユーザが他の映像音響機器１０１の制御信号（ＣＥＣコマンド）を対応付けた操作キー６ａを操作すると、映像音響機器１は送信部４ａを介して操作キー６ａに対応付けられた他の映像音響機器１０１の制御信号を他の映像音響機器１０１に送信する。
【００３１】
このような映像音響機器１のリモコン学習モードについて、図２に示すフローに沿って図３〜図７を用いて説明する。図２は映像音響機器１のリモコン学習モードの設定処理を示すフローチャートである。図３〜図５は映像音響機器１のリモコン学習モードの表示例を示す説明図である。図６及び図７は映像音響機器１のリモコン学習モードで対応付けた操作キー６ａの一覧の例を示す説明図及び他の映像音響機器１０１（Ｒｅｃ１）のＣＥＣコマンドの一覧の例を示す説明図である。
【００３２】
映像音響機器１（ＴＶ１）において、ユーザが入力を外部接続部５の「ＨＤＭＩ−１」に接続された他の映像音響機器１０１（Ｒｅｃ１）に切り替えて所定の操作を行うことでリモコン学習モードが開始される（図２のスタート）。そして、制御部７は通信部４を介して他の映像音響機器１０１（Ｒｅｃ１）にリモコン学習モードの開始を通達する（ステップ＃１０１）。これ以降リモコン学習モードが終了するまで、他の映像音響機器１０１（Ｒｅｃ１）はユーザによってリモコン１０６の操作キー１０６ａが操作されると、操作キー１０６ａに対応付けられたリモコンコードを含むＣＥＣコマンドを通信部４を介して映像音響機器１に送信する。
【００３３】
次に、制御部７は、図３に示すように他の映像音響機器１０１（Ｒｅｃ１）のリモコン１０６の操作キー１０６ａの操作指示を表示部３に表示させ（ステップ＃１０２）、その操作をユーザに促す。続いて、ユーザから他の映像音響機器１０１（Ｒｅｃ１）のリモコン１０６の操作キー１０６ａの操作を受け付ける（ステップ＃１０３）。
【００３４】
ユーザが操作キー１０６ａの操作を行うと、制御部７は受信部４ｂを介して他の映像音響機器１０１（Ｒｅｃ１）の操作キー１０６ａに対応付けられたリモコンコードを含むＣＥＣコマンドを受信する（ステップ＃１０４）。そして、制御部７は、図４に示すようにユーザが他の映像音響機器１０１（Ｒｅｃ１）の操作キー１０６ａとして「ナビゲートキー」を操作したことを表示部３に表示させる。
【００３５】
次に、制御部７は、図４に示すように映像音響機器１（ＴＶ１）のリモコン６の操作キー６ａの操作指示を表示部３に表示させ（ステップ＃１０５）、その操作をユーザに促す。続いて、ユーザから映像音響機器１（ＴＶ１）のリモコン６の操作キー６ａの操作を受け付ける（ステップ＃１０６）。
【００３６】
ユーザが操作キー６ａの操作を行うと、キー設定部９はステップ＃１０３でユーザが操作した他の映像音響機器１０１（Ｒｅｃ１）の操作キー１０６ａに対応付けられた制御信号（ＣＥＣコマンド）を操作キー６ａに対応付け、図５に示すその確認ウィンドウを表示部３の下部に表示させる（ステップ＃１０７）。また、制御部７は、図５に示すようにユーザが映像音響機器１（ＴＶ１）の操作キー６ａとして「赤キー」を操作したことを表示部３に表示させる。なお、キー設定部９が他の映像音響機器１０１（Ｒｅｃ１）の制御信号を対応付けた操作キー６ａ（赤キー）には映像音響機器１（ＴＶ１）本来の制御信号が予め対応付けられている。
【００３７】
続いて、制御部７は操作キー１０６ａに対応付けられた制御信号の操作キー６ａへの対応付けをユーザが承認したか否かを判別する（ステップ＃１０８）。ユーザから承認が得られない場合（ステップ＃１０８のＮｏ）、ステップ＃１０２に戻って、他の映像音響機器１０１（Ｒｅｃ１）の操作キー１０６ａの操作からやり直す。
【００３８】
ステップ＃１０８にてユーザが操作キー６ａへの対応付けを承認した場合（ステップ＃１０８のＹｅｓ）、制御部７は記憶部８等に操作キー６ａへの対応付けに係る情報を記憶させる（ステップ＃１０９）。この情報としては、例えば図６に示すようなリモコン学習モードで対応付けた操作キー６ａの一覧が記憶される。
【００３９】
図６に示す映像音響機器１（ＴＶ１）の操作キー６ａの一覧には、例えば映像音響機器１（ＴＶ１）のリモコン６の操作キー６ａである「赤キー」を操作したときに他の映像音響機器１０１（Ｒｅｃ１）に「２２」というＣＥＣコマンドを送信することが記載されている。また、例えば映像音響機器１（ＴＶ１）のリモコン６の操作キー６ａである「黄キー」を操作したときに他の映像音響機器１０１（Ｒｅｃ１）に「１１」というＣＥＣコマンドを送信することが記載されている。
【００４０】
ステップ＃１０９にて操作キー６ａへの対応付けに係る情報の記憶が終わると、制御部７は他の映像音響機器１０１（Ｒｅｃ１）に対して操作キー６ａへの対応付けの通達と、リモコン学習モードの終了の通達とを実行する（ステップ＃１１０）。ここで、制御部７は他の映像音響機器１０１（Ｒｅｃ１）にも図７に示すようなリモコン学習モードで対応付けたＣＥＣコマンドの一覧を記憶させる指示を他の映像音響機器１０１（Ｒｅｃ１）に送信する。
【００４１】
図７に示す他の映像音響機器１０１（Ｒｅｃ１）のＣＥＣコマンドの一覧には、例えば映像音響機器１（ＴＶ１）から「２２」、「１１」というＣＥＣコマンドを受信することがあることが記載されている。さらに、図７に示す他の映像音響機器１０１（Ｒｅｃ１）のＣＥＣコマンドの一覧には、例えば不図示の他の映像音響機器（ＴＶ２）から「１１」というＣＥＣコマンドを受信することがあることが記載されている。
【００４２】
そして、映像音響機器１（ＴＶ１）はリモコン学習モードに係る設定処理を終了する（図２のエンド）。
【００４３】
続いて、リモコン学習モードで対応付けた操作キー６ａに係るリモコン６の操作に基づく動作について、図８及び図９に示すフローに沿って説明する。図８及び図９はリモコン６の操作に基づく映像音響機器１自機の動作を示すフローチャート及び他の映像音響機器１０１の動作を示すフローチャートである。
【００４４】
映像音響機器１（ＴＶ１）において、ユーザが入力を外部接続部５の「ＨＤＭＩ−１」に接続された他の映像音響機器１０１（Ｒｅｃ１）に切り替えることで、他の映像音響機器１０１（Ｒｅｃ１）の操作に係る処理が開始される（図８のスタート）。
【００４５】
ここで、映像音響機器１（ＴＶ１）はリモコン学習モードで他の映像音響機器１０１の制御信号を対応付けた自機の操作キー６ａの一覧を示す表示信号を生成し、例えば図６に示すその一覧を表示部３に表示しても良い。この場合、図６のＣＥＣコマンドの欄にはそのＣＥＣコマンドに対応する他の映像音響機器１０１の機能を表示させることが好ましい。
【００４６】
そして、映像音響機器１（ＴＶ１）はユーザからリモコン６の操作キー６ａの操作を受け付ける（ステップ＃２０１）。
【００４７】
ユーザが操作キー１０６ａの操作を行うと、制御部７は他の映像音響機器１０１（Ｒｅｃ１）に関してリモコン学習モードが実行済みであるか否かを判別する（ステップ＃２０２）。リモコン学習モードが実行済みである場合（ステップ＃２０２のＹｅｓ）、制御部７はステップ＃２０１でユーザが操作したリモコン６の操作キー６ａが、リモコン学習モードによって他の映像音響機器１０１（Ｒｅｃ１）のＣＥＣコマンドを対応付けられた操作キー６ａであるか否かを判別する（ステップ＃２０３）。
【００４８】
ユーザが操作したリモコン６の操作キー６ａが、リモコン学習モードで他の映像音響機器１０１（Ｒｅｃ１）のＣＥＣコマンドを対応付けた操作キー６ａである場合（ステップ＃２０３のＹｅｓ）、制御部７はリモコン学習モードで対応付けたＣＥＣコマンドを送信部４ａを介して他の映像音響機器１０１（Ｒｅｃ１）に送信する（ステップ＃２０４）。
【００４９】
一方、ステップ＃２０２にてリモコン学習モードを実行済ではない場合（ステップ＃２０２のＮｏ）、またはステップ＃２０３にて操作キー６ａがリモコン学習モードで他の映像音響機器１０１（Ｒｅｃ１）のＣＥＣコマンドを対応付けた操作キー６ａではない場合（ステップ＃２０３のＮｏ）、制御部７は操作キー６ａに本来対応付けられた通常の制御信号に基づく動作を実行する（ステップ＃２０５）。この通常の制御信号はＣＥＣコマンドとして他の映像音響機器１０１（Ｒｅｃ１）に送信されることもある。
【００５０】
ステップ＃２０４及び＃２０５においてＣＥＣコマンドが送信される、または実行されると、他の映像音響機器１０１（Ｒｅｃ１）の操作に係る処理が終了される（図８のエンド）。
【００５１】
一方、他の映像音響機器１０１（Ｒｅｃ１）は映像音響機器１（ＴＶ１）と接続されていると、映像音響機器１（ＴＶ１）からＣＥＣコマンドを受信することがある（図９のスタート）。
【００５２】
映像音響機器１（ＴＶ１）からＣＥＣコマンドを受信すると、他の映像音響機器１０１（Ｒｅｃ１）は映像音響機器１（ＴＶ１）に関してリモコン学習モードが実行済みであるか否かを判別する（ステップ＃３０１）。リモコン学習モードが実行済みである場合（ステップ＃３０１のＹｅｓ）、他の映像音響機器１０１（Ｒｅｃ１）は本処理のスタート時に受信したＣＥＣコマンドが、リモコン学習モードによって対応付けがなされたＣＥＣコマンドであるか否かを判別する（ステップ＃３０２）。
【００５３】
本処理のスタート時に受信したＣＥＣコマンドが、リモコン学習モードで対応付けがなされたＣＥＣコマンドである場合（ステップ＃３０２のＹｅｓ）、他の映像音響機器１０１（Ｒｅｃ１）はリモコン学習モードで対応付けがなされたＣＥＣコマンドに基づく動作を実行する（ステップ＃３０３）。
【００５４】
一方、ステップ＃３０１にてリモコン学習モードを実行済ではない場合（ステップ＃３０１のＮｏ）、またはステップ＃３０２にて本処理のスタート時に受信したＣＥＣコマンドがリモコン学習モードで対応付けがなされたＣＥＣコマンドではない場合（ステップ＃３０２のＮｏ）、他の映像音響機器１０１（Ｒｅｃ１）は本処理のスタート時に受信した通常のＣＥＣコマンドに基づく動作を実行する（ステップ＃３０４）。
【００５５】
ステップ＃３０３及び＃３０４においてＣＥＣコマンドに基づく動作が実行されると、他の映像音響機器１０１（Ｒｅｃ１）の操作に係る処理が終了される（図９のエンド）。
【００５６】
上記のように、映像音響機器１は外部の他の映像音響機器１０１と通信を実行して他の映像音響機器１０１が有するリモコン１０６の操作キー１０６ａに対応付けられたリモコンコードを含む制御信号（ＣＥＣコマンド）を受信する受信部４ｂと、自機が有するリモコン６の任意の操作キー６ａに他の映像音響機器１０１の制御信号（ＣＥＣコマンド）を対応付けるキー設定部９と、制御信号を対応付けた自機の操作キー６ａの操作により自機を介して制御信号（ＣＥＣコマンド）を他の映像音響機器１０１に送信する送信部４ａと、を備える。
【００５７】
この構成によれば、ユーザは他の映像音響機器１０１の機能を映像音響機器１のリモコン６の操作キー６ａに自身の都合に合うよう自由に設定することができる。したがって、相互に通信可能に設置された２台の映像音響機器１、１０１からなる映像音響系統全体の操作性を向上させることが可能である。
【００５８】
また、キー設定部９が他の映像音響機器１０１の制御信号（ＣＥＣコマンド）を対応付けた映像音響機器１の操作キー６ａには映像音響機器１本来の制御信号が予め対応付けられている。
【００５９】
この構成によれば、映像音響機器１のリモコン６で他の映像音響機器１０１を操作するにあたって、リモコン６の操作キー６ａの増加を抑制することができる。したがって、状況によって使用しない操作キー６ａが有効に活用することが可能である。
【００６０】
そして、映像音響機器１は他の映像音響機器１０１の制御信号（ＣＥＣコマンド）を対応付けた自機の操作キー６ａの一覧を示す表示信号を生成し、その一覧を表示部３に表示する。
【００６１】
この構成によれば、映像音響機器１の操作キー６ａに対応付けた他の映像音響機器１０１の制御信号（ＣＥＣコマンド）にどういったものがあるか把握を容易にすることができる。したがって、２台の映像音響機器１、１０１からなる映像音響系統全体の操作性をより一層向上させることが可能である。
【００６２】
＜第２実施形態＞
次に、本発明の第２実施形態の映像音響機器について、図１０〜図１３を用いて説明する。図１０は映像音響機器の構成図である。図１１、図１２及び図１３は映像音響機器１（ＴＶ１）のリモコン学習モードで対応付けた操作キー６ａの一覧の例を示す説明図、他の映像音響機器１０１（Ｒｅｃ１、ＨＤＭＩ−１）のＣＥＣコマンドの一覧の例を示す説明図及び他の映像音響機器２０１（Ｒｅｃ２、ＨＤＭＩ−２）のＣＥＣコマンドの一覧の例を示す説明図である。なお、この実施形態の基本的な構成は先に説明した第１実施形態と同じであるので、第１実施形態と共通する構成要素には前と同じ符号を付してその説明を省略するものとする。
【００６３】
第２実施形態の映像音響機器１は、図１０に示すように２箇所の外部接続部５である「ＨＤＭＩ−１」及び「ＨＤＭＩ−２」を備える。外部接続部５の「ＨＤＭＩ−１」には他の映像音響機器１０１（Ｒｅｃ１）が通信可能に電気的に接続され、「ＨＤＭＩ−２」には他の映像音響機器２０１（Ｒｅｃ２）が通信可能に電気的に接続される。２台の他の映像音響機器１０１、２０１は各々異なる機種（Ｒｅｃ１、Ｒｅｃ２）である。
【００６４】
リモコン学習モードにおいて、キー設定部９は２台の他の映像音響機器１０１、２０１から他の映像音響機器１０１、２０１各々の機種に係る識別情報（Ｒｅｃ１、Ｒｅｃ２）を取得する。さらに、キー設定部９は識別情報（Ｒｅｃ１、Ｒｅｃ２）に関連付けて映像音響機器１が有するリモコン６の操作キー６ａに他の映像音響機器１０１、２０１各々のリモコンコードを含む制御信号（ＣＥＣコマンド）の送信先を対応付ける。そして、第２実施形態の映像音響機器１は、例えば図１１に示すようなリモコン学習モードで対応付けた操作キー６ａの一覧を記憶する。
【００６５】
図１１に示す映像音響機器１（ＴＶ１）の操作キー６ａの一覧には、例えば入力として「Ｒｅｃ１」（ＨＤＭＩ−１）を選択した場合に映像音響機器１（ＴＶ１）のリモコン６の「赤キー」を操作したときに他の映像音響機器１０１（Ｒｅｃ１）に「２２」というＣＥＣコマンドを送信することが記載されている。また、例えば入力として「Ｒｅｃ１」（ＨＤＭＩ−１）を選択した場合に映像音響機器１（ＴＶ１）のリモコン６の「黄キー」を操作したときに他の映像音響機器１０１（Ｒｅｃ１）に「１１」というＣＥＣコマンドを送信することが記載されている。
【００６６】
また、例えば入力として「Ｒｅｃ２」（ＨＤＭＩ−２）を選択した場合に映像音響機器１（ＴＶ１）のリモコン６の「赤キー」を操作したときに他の映像音響機器２０１（Ｒｅｃ２）に「３３」というＣＥＣコマンドを送信することが記載されている。また、例えば入力として「Ｒｅｃ２」（ＨＤＭＩ−２）を選択した場合に映像音響機器１（ＴＶ１）のリモコン６の「黄キー」を操作したときに他の映像音響機器２０１（Ｒｅｃ２）に「１５」というＣＥＣコマンドを送信することが記載されている。
【００６７】
一方、図１２に示す他の映像音響機器１０１（Ｒｅｃ１）のＣＥＣコマンドの一覧には、例えば映像音響機器１（ＴＶ１）から「２２」、「１１」というＣＥＣコマンドを受信することがあることが記載されている。
【００６８】
また、図１３に示す他の映像音響機器２０１（Ｒｅｃ２）のＣＥＣコマンドの一覧には、例えば映像音響機器１（ＴＶ１）から「３３」、「１５」というＣＥＣコマンドを受信することがあることが記載されている。
【００６９】
この構成によれば、映像音響機器１に異なる機種である２台の他の映像音響機器１０１（Ｒｅｃ１）、２０１（Ｒｅｃ２）が接続される場合に、機種ごとに対応付けられた制御信号（ＣＥＣコマンド）を他の映像音響機器１０１（Ｒｅｃ１）、２０１（Ｒｅｃ２）各々に対して適正に送信することができる。したがって、制御信号（ＣＥＣコマンド）の誤送信を抑制することができ、他の映像音響機器１０１（Ｒｅｃ１）、２０１（Ｒｅｃ２）の制御を効率良く実行することが可能である。
【００７０】
＜第３実施形態＞
次に、本発明の第３実施形態の映像音響機器について、図１４〜図１８を用いて説明する。図１４は映像音響機器の構成図である。図１５、図１６、図１７及び図１８は映像音響機器１のリモコン学習モードで対応付けた操作キー６ａの一覧の例を示す説明図、他の映像音響機器１０１（Ｒｅｃ１、ＨＤＭＩ−１）のＣＥＣコマンドの一覧の例を示す説明図、他の映像音響機器２０１（Ｒｅｃ１、ＨＤＭＩ−２）のＣＥＣコマンドの一覧の例を示す説明図及び他の映像音響機器３０１（Ｒｅｃ２、ＨＤＭＩ−３）のＣＥＣコマンドの一覧の例を示す説明図である。なお、この実施形態の基本的な構成は先に説明した第１実施形態と同じであるので、第１実施形態と共通する構成要素には前と同じ符号を付してその説明を省略するものとする。
【００７１】
第３実施形態の映像音響機器１は、図１４に示すように３箇所の外部接続部５である「ＨＤＭＩ−１」、「ＨＤＭＩ−２」及び「ＨＤＭＩ−３」を備える。外部接続部５の「ＨＤＭＩ−１」には他の映像音響機器１０１（Ｒｅｃ１）が通信可能に電気的に接続され、「ＨＤＭＩ−２」には他の映像音響機器２０１（Ｒｅｃ１）が通信可能に電気的に接続され、「ＨＤＭＩ−３」には他の映像音響機器３０１（Ｒｅｃ２）が通信可能に電気的に接続される。他の映像音響機器１０１、２０１は同じ機種（Ｒｅｃ１）であり、他の映像音響機器３０１は前２台と異なる機種（Ｒｅｃ２）である。
【００７２】
リモコン学習モードにおいて、キー設定部９は３箇所の外部接続部５各々に関連付けて映像音響機器１が有するリモコン６の操作キー６ａに他の映像音響機器１０１（Ｒｅｃ１）、２０１（Ｒｅｃ１）、３０１（Ｒｅｃ２）のリモコンコードを含む制御信号（ＣＥＣコマンド）の送信先を対応付ける。そして、第３実施形態の映像音響機器１は、例えば図１５に示すようなリモコン学習モードで対応付けた操作キー６ａの一覧を記憶する。
【００７３】
図１５に示す映像音響機器１（ＴＶ１）の操作キー６ａの一覧には、例えば入力が「ＨＤＭＩ−１」である場合に映像音響機器１（ＴＶ１）のリモコン６の「赤キー」を操作したときに他の映像音響機器１０１（Ｒｅｃ１）に「２２」というＣＥＣコマンドを送信することが記載されている。また、例えば入力が「ＨＤＭＩ−１」である場合に映像音響機器１（ＴＶ１）のリモコン６の「黄キー」を操作したときに他の映像音響機器１０１（Ｒｅｃ１）に「１１」というＣＥＣコマンドを送信することが記載されている。
【００７４】
また、例えば入力が「ＨＤＭＩ−２」である場合に映像音響機器１（ＴＶ１）のリモコン６の「赤キー」を操作したときに他の映像音響機器２０１（Ｒｅｃ１）に「３３」というＣＥＣコマンドを送信することが記載されている。また、例えば入力が「ＨＤＭＩ−２」である場合に映像音響機器１（ＴＶ１）のリモコン６の「黄キー」を操作したときに他の映像音響機器２０１（Ｒｅｃ１）に「１５」というＣＥＣコマンドを送信することが記載されている。
【００７５】
また、例えば入力が「ＨＤＭＩ−３」である場合に映像音響機器１（ＴＶ１）のリモコン６の「赤キー」を操作したときに他の映像音響機器３０１（Ｒｅｃ２）に「３３」というＣＥＣコマンドを送信することが記載されている。
【００７６】
一方、図１６に示す他の映像音響機器１０１（Ｒｅｃ１）のＣＥＣコマンドの一覧には、例えば映像音響機器１（ＴＶ１）から「２２」、「１１」というＣＥＣコマンドを受信することがあることが記載されている。
【００７７】
また、図１７に示す他の映像音響機器２０１（Ｒｅｃ１）のＣＥＣコマンドの一覧には、例えば映像音響機器１（ＴＶ１）から「３３」、「１５」というＣＥＣコマンドを受信することがあることが記載されている。
【００７８】
また、図１８に示す他の映像音響機器３０１（Ｒｅｃ２）のＣＥＣコマンドの一覧には、例えば映像音響機器１（ＴＶ１）から「３３」というＣＥＣコマンドを受信することがあることが記載されている。
【００７９】
この構成によれば、３箇所の外部接続部５各々に他の映像音響機器１０１（Ｒｅｃ１）、２０１（Ｒｅｃ１）、３０１（Ｒｅｃ２）が接続されてそれらに同じ機種が存在する場合であっても、３箇所の外部接続部５ごとに区別して制御信号（ＣＥＣコマンド）を送信することができる。したがって、制御信号（ＣＥＣコマンド）の誤送信を抑制することができ、他の映像音響機器１０１（Ｒｅｃ１）、２０１（Ｒｅｃ１）、３０１（Ｒｅｃ２）の制御を効率良く実行することが可能である。
【００８０】
＜第４実施形態＞
次に、本発明の第４実施形態の映像音響機器について、図１９〜図２１を用いて説明する。図１９は映像音響機器１のリモコン学習モードで対応付けた操作キー６ａの一覧の例を示す説明図である。図２０及び図２１はリモコン学習モードで対応付けられたＣＥＣコマンドのコピーモードにおけるコピー元である他の映像音響機器２０１（Ｒｅｃ１）の動作を示すフローチャート及びコピー先である他の映像音響機器１０１（Ｒｅｃ１）の動作を示すフローチャートである。なお、この実施形態の基本的な構成は先に説明した第１及び第３実施形態と同じであるので、これらの実施形態と共通する構成要素には前と同じ符号を付してその説明を省略するものとする。
【００８１】
第４実施形態の映像音響機器１は、第３実施形態と同様の図１４に示す３箇所の外部接続部５「ＨＤＭＩ−１」、「ＨＤＭＩ−２」及び「ＨＤＭＩ−３」を備える。３箇所の外部接続部５各々に接続された他の映像音響機器１０１、２０１、３０１において、他の映像音響機器１０１、２０１は同じ機種（Ｒｅｃ１）であり、他の映像音響機器３０１は前２台と異なる機種（Ｒｅｃ２）である。
【００８２】
第４実施形態の映像音響機器１では、リモコン学習モードにおいて、キー設定部９が機種に係る識別情報（Ｒｅｃ１、Ｒｅｃ２）に関連付けて映像音響機器１が有するリモコン６の操作キー６ａに他の映像音響機器１０１、２０１、３０１各々のリモコンコードを含む制御信号（ＣＥＣコマンド）の送信先を対応付ける。そして、映像音響機器１は、例えば図１９に示すようなリモコン学習モードで対応付けた操作キー６ａの一覧を記憶する。
【００８３】
ここで、映像音響機器１は３箇所の外部接続部５ごとに区別してＣＥＣコマンドを記憶せず、機種ごとに区別して記憶する機能を有する。したがって、他の映像音響機器１０１、２０１はともに機種が「Ｒｅｃ１」であるので、映像音響機器１では同じ操作キー６ａの「赤キー」、「黄キー」に対して、時期的に先に設定された「２２」、「１１」というＣＥＣコマンドに時期的に後に設定された「３３」、「１５」というＣＥＣコマンドが上書き設定される。
【００８４】
一方、他の映像音響機器１０１のＣＥＣコマンドの一覧には映像音響機器１から「２２」、「１１」というＣＥＣコマンドを受信することがあることが記載されているので、それらを「３３」、「１５」というＣＥＣコマンドに書き換える必要がある。このため、リモコン学習モードで対応付けられたＣＥＣコマンドに対して、コピーモードが設けられている。
【００８５】
続いて、リモコン学習モードで対応付けられたＣＥＣコマンドのコピーモードについて、図２０及び図２１を用いて説明する。
【００８６】
コピー元の他の映像音響機器２０１は、リモコン学習モードで対応付けられたＣＥＣコマンドのコピーモードを開始すると（図２０のスタート）、コピー先の他の映像音響機器１０１から機種に係る識別情報（Ｒｅｃ１）を取得する（ステップ＃４０１）。
【００８７】
次に、コピー元の他の映像音響機器２０１はコピー先の他の映像音響機器１０１と機種が一致するか否かを判別する（ステップ＃４０２）。機種が一致しない場合（ステップ＃４０２のＮｏ）、コピーモードに係る処理を終了する（図２０のエンド）。
【００８８】
一方、機種が一致した場合（ステップ＃４０２のＹｅｓ）、コピー元の他の映像音響機器２０１はコピー先の他の映像音響機器１０１にリモコン学習モードで対応付けられたＣＥＣコマンドを送信する（ステップ＃４０３）。そして、コピー元の他の映像音響機器２０１はすべてのＣＥＣコマンドを送信したか否かを判別し（ステップ＃４０４）、すべてを送信し終えるまでステップ＃４０３を繰り返す（ステップ＃４０４のＮｏ）。
【００８９】
すべてのＣＥＣコマンドを送信し終えると（ステップ＃４０４のＹｅｓ）、コピー元の他の映像音響機器２０１はコピー先の他の映像音響機器１０１にＣＥＣコマンドの返送を指示する（ステップ＃４０５）。そして、コピー元の他の映像音響機器２０１はコピー先の他の映像音響機器１０１から返送されたＣＥＣコマンドを受信する（ステップ＃４０６）。
【００９０】
次に、コピー元の他の映像音響機器２０１はコピー先の他の映像音響機器１０１から返送されたＣＥＣコマンドが、自身が記憶するリモコン学習モードで対応付けられたＣＥＣコマンドとすべて合致するか否かを判別する（ステップ＃４０７）。ＣＥＣコマンドが合致しない場合（ステップ＃４０７のＮｏ）、ステップ＃４０３に戻ってリモコン学習モードで対応付けられたＣＥＣコマンドの送信からやり直す。
【００９１】
一方、ＣＥＣコマンドが合致した場合（ステップ＃４０７のＹｅｓ）、コピー元の他の映像音響機器２０１はコピー先の他の映像音響機器１０１にコピーモードの終了を通知する（ステップ＃４０８）。そして、コピー元の他の映像音響機器２０１はリモコン学習モードで対応付けられたＣＥＣコマンドのコピーモードに係る処理を終了する（図２０のエンド）。
【００９２】
続いて、コピー先の他の映像音響機器１０１は、リモコン学習モードで対応付けられたＣＥＣコマンドのコピーモードを開始すると（図２０のスタート）、コピー元の他の映像音響機器２０１から機種に係る識別情報（Ｒｅｃ１）を取得する（ステップ＃５０１）。
【００９３】
次に、コピー先の他の映像音響機器１０１はコピー元の他の映像音響機器２０１と機種が一致するか否かを判別する（ステップ＃５０２）。機種が一致しない場合（ステップ＃５０２のＮｏ）、リモコン学習モードで対応付けられたＣＥＣコマンドのコピーモードに係る処理を終了する（図２１のエンド）。
【００９４】
一方、機種が一致した場合（ステップ＃５０２のＹｅｓ）、コピー先の他の映像音響機器１０１は自機が記憶するリモコン学習モードで対応付けられたＣＥＣコマンドを削除する（ステップ＃５０３）。続いて、コピー先の他の映像音響機器１０１はコピー元の他の映像音響機器２０１からリモコン学習モードで対応付けられたＣＥＣコマンドを受信して記憶する（ステップ＃５０４）。さらに、コピー先の他の映像音響機器１０１はコピー元の他の映像音響機器２０１からＣＥＣコマンドの返送指示を受信する（ステップ＃５０５）。
【００９５】
次に、コピー先の他の映像音響機器１０１はコピー元の他の映像音響機器２０１から受信したＣＥＣコマンドをコピー元の他の映像音響機器２０１に返送する（ステップ＃５０６）。そして、コピー先の他の映像音響機器１０１はすべてのＣＥＣコマンドを返送したか否かを判別し（ステップ＃５０７）、すべてを送信し終えるまでステップ＃５０６を繰り返す（ステップ＃５０７のＮｏ）。
【００９６】
すべてのＣＥＣコマンドを返送し終えると（ステップ＃５０７のＹｅｓ）、コピー先の他の映像音響機器１０１はコピー元の他の映像音響機器２０１からコピーモードの終了通知を受信したか否かを判別する（ステップ＃５０８）。コピーモードの終了通知を受信できなかった場合（ステップ＃５０８のＮｏ）、ステップ＃５０４に戻ってＣＥＣコマンドの受信からやり直す。
【００９７】
一方、コピーモードの終了通知を受信した場合（ステップ＃５０８のＹｅｓ）、コピー先の他の映像音響機器１０１はリモコン学習モードで対応付けられたＣＥＣコマンドのコピーモードに係る処理を終了する（図２１のエンド）。
【００９８】
この構成によれば、同じ機種である他の映像音響機器１０１、２０１に関して、リモコン学習モードで対応付けられた制御信号（ＣＥＣコマンド）の統一を図ることができる。したがって、同じ機種である他の映像音響機器１０１、２０１を操作する上での混乱を防止することができ、操作性を向上させることが可能である。
【００９９】
以上、本発明の実施形態につき説明したが、本発明の範囲はこれに限定されるものではなく、発明の主旨を逸脱しない範囲で種々の変更を加えて実施することができる。
【０１００】
例えば、上記実施形態では、他の映像音響機器１０１、２０１、３０１がすべてレコーダであることとしたが、他の映像音響機器はレコーダに限定されるわけではなく、例えばチューナやアンプなどであっても構わない。また、他の映像音響機器を４台以上接続しても良い。
【０１０１】
また、第１実施形態において、テレビジョン受信機である映像音響機器１が有するリモコン６の任意の操作キー６ａにレコーダである他の映像音響機器１０１の制御信号を対応付けることとしたが、映像音響機器１がレコーダであって、他の映像音響機器１０１がテレビジョン受信機であっても良い。
【産業上の利用可能性】
【０１０２】
本発明は映像音響機器において利用可能である。
【符号の説明】
【０１０３】
１    映像音響機器
３    表示部
４    通信部
４ａ    送信部
４ｂ    受信部
５    外部接続部
６    リモコン（操作部）
６ａ    操作キー
７    制御部
９    キー設定部（設定部）
１０１、２０１、３０１    他の映像音響機器
１０６、２０６、３０６    リモコン（操作部）
１０６ａ、２０６ａ、３０６ａ    操作キー
【図１】
2015231066.tif 000003
【図２】
2015231066.tif 000004
【図３】
2015231066.tif 000005
【図４】
2015231066.tif 000006
【図５】
2015231066.tif 000007
【図６】
2015231066.tif 000008
【図７】
2015231066.tif 000009
【図８】
2015231066.tif 000010
【図９】
2015231066.tif 000011
【図１０】
2015231066.tif 000012
【図１１】
2015231066.tif 000013
【図１２】
2015231066.tif 000014
【図１３】
2015231066.tif 000015
【図１４】
2015231066.tif 000016
【図１５】
2015231066.tif 000017
【図１６】
2015231066.tif 000018
【図１７】
2015231066.tif 000019
【図１８】
2015231066.tif 000020
【図１９】
2015231066.tif 000021
【図２０】
2015231066.tif 000022
【図２１】
2015231066.tif 000023